(57)【要約】【課題】簡潔な構造にしてホイール開口部流出気流と車体側部を流れる走行気流の干渉を低減可能な車両用気流制御構造を提供する。【解決手段】タイヤ６が取付けられた車両用ホイール５をホイールハウス３に収容し、このホイールハウス３の壁部のうち、タイヤ６の前後方向中央よりも車両前方寄り位置に、タイヤ６の車両幅方向外側端面に沿って気流を吹出す吹出し口１２を設ける。吹出し口１２からは、タイヤ６より車両前方の車体下端部より下方に在るタイヤ６及び車両用ホイール５の車両幅方向外側端面に向かう押し流し気流Ａを吹出す。これにより、車両用ホイール５の開口部７から流出するホイール開口部流出気流Ｂのうち、タイヤ６より車両前方の車体下端部より下方の部分から流出する強い気流に対し、吹出し口１２から吹出される押し流し気流Ａがホイール開口部流出気流Ｂを下方及び後方の少なくとも何れか一方に押し流す。【選択図】図１
2017178163.tif 000002
【特許請求の範囲】
【請求項１】
タイヤの取付けられた車両用ホイールと、
前記タイヤ及び前記車両用ホイールを収容するホイールハウスと、に設けられた車両用気流制御構造において、
前記ホイールハウスの壁部の少なくとも前記タイヤの前後方向中央よりも車両前方寄り位置に設けられ、走行気流の一部の前記ホイールハウス内への吹出しを許容する吹出し口と、
前記吹出し口に設けられ、吹出される気流の方向規制を行う気流方向規制部と、を有し、
前記気流方向規制部は、
前記吹出された気流が前記タイヤの車両幅方向外側に沿い且つ前記タイヤ前方の車体下端部よりも車両下方に在る前記タイヤ及び車両用ホイール部分に向かうように気流規制を行う構造を有することを特徴とする車両用気流制御構造。
【請求項２】
前記吹出し口は複数箇所に設けられ、
前記複数の吹出し口のそれぞれの気流方向規制部は、前記複数の吹出し口からの気流の合成によって前記気流規制を行う構成を有することを特徴とする請求項１に記載の車両用気流制御構造。
【請求項３】
前記吹出し口は、吹出される気流の流量を調整する流量調整機構を備えたことを特徴とする請求項１又は２に記載の車両用気流制御構造。
【請求項４】
前記気流方向規制部は、
前記気流の流れの規制方向に伸長する気流ガイド壁を取付けて構成したことを特徴とする請求項１乃至３の何れか一項に記載の車両用気流制御構造。
【発明の詳細な説明】
【技術分野】
【０００１】
本発明は、車両用気流制御構造、特に、車両のホイールハウス近傍における車体側部（車両幅方向端部）の気流（空気の流れ）を制御する車両用気流制御構造に関する。
【背景技術】
【０００２】
一般に、車両用ホイールには開口部が形成されており、この開口部を通じて、走行気流の一部が車両用ホイールの車両幅方向内側から車両幅方向外側に通過する。この空気の流れによって、ブレーキ装置が冷却される効果が得られている。一方で、この車両用ホイールの開口部から流出する気流（以下、「ホイール開口部流出気流」と記す）が車体側部を流れる走行気流と干渉することが知られている。このホイール開口部流出気流と走行気流との干渉は、例えば走行抵抗の増大をもたらすことになる。
【０００３】
そこで、下記特許文献１に記載される車両用気流制御装置では、ホイール開口部を開閉するシャッタを車両用ホイールに設け、例えば車両の走行状態に応じてホイール開口部を開閉制御する。このシャッタでホイール開口部を閉じればホイール開口部流出気流と走行気流の干渉を低減することができ、ホイール開口部を開けばブレーキ冷却効果が確保される。なお、ホイールハウスより車両前方のフェンダから走行気流の一部を取り入れ、その取り入れた走行気流を車両用ホイールの車両幅方向外側端面に向けて吹出す気流制御構造も考えられている。
【先行技術文献】
【特許文献】
【０００４】
【特許文献１】特開２００７−１２６０８８号公報
【発明の概要】
【発明が解決しようとする課題】
【０００５】
しかしながら、前述した特許文献１に記載される車両用気流制御装置では、ホイール開口部を開閉するためのシャッタやアクチュエータを車両用ホイールに設ける必要がある上に、アクチュエータの作動状態を制御するためのコントローラを必要とすることから、構造が複雑で、コスト高になるという問題がある。また、シャッタを開けばホイール開口部流出気流と走行気流の干渉が増大し、シャッタを閉じればブレーキ冷却効果が低減するというトレードオフがある。
【０００６】
本発明は、上記課題に鑑みてなされたものであり、その目的は、簡潔な構造にしてホイール開口部流出気流と車体側部を流れる走行気流との干渉を低減可能な車両用気流制御構造を提供することにある。
【課題を解決するための手段】
【０００７】
上記目的を達成するため請求項１に記載の発明は、タイヤの取付けられた車両用ホイールと、前記タイヤ及び前記車両用ホイールを収容するホイールハウスと、に設けられた車両用気流制御構造において、前記ホイールハウスの壁部の少なくとも前記タイヤの前後方向中央よりも車両前方寄り位置に設けられ、走行気流の一部の前記ホイールハウス内への吹出しを許容する吹出し口と、前記吹出し口に設けられ、吹出される気流の方向規制を行う気流方向規制部と、を有し、前記気流方向規制部は、前記吹出された気流が前記タイヤの車両幅方向外側に沿い且つ前記タイヤ前方の車体下端部よりも車両下方に在る前記タイヤ及び車両用ホイール部分に向かうように方向規制を行う構造を有することを特徴とする。
【０００８】
この構成によれば、簡易な構成にしてホイール開口部流出気流と車体側部を流れる走行気流の干渉を低減することが可能となる。また、ホイール開口部流出気流と車体側部を流れる走行気流の干渉の生じ易い領域、即ち、タイヤ前方の車体下端部よりも低い領域に吹出し口から吹出される気流を集中させることができる。これにより、より一層効果的に走行気流の干渉の低減を行うことが可能となる。
【０００９】
請求項２に記載の発明は、請求項１に記載の車両用気流制御構造において、前記吹出し口は複数箇所に設けられ、前記複数の吹出し口のそれぞれの気流方向規制部は、前記複数の吹出し口からの気流の合成によって前記気流規制を行う構成を有することを特徴とする。
【００１０】
この構成によれば、ホイール開口部流出気流の押し流しに必要な吹出し口からの気流の流量をより豊富に確保することができ、更に複数の吹出し口の配置を所望に組合わせることができるので吹出し口のレイアウトの自由度も高まる。
【００１１】
請求項３に記載の発明は、請求項１又は２に記載の車両用気流制御構造において、前記吹出し口は、吹出される気流の流量を調整する流量調整機構を備えたことを特徴とする。
【００１２】
この構成によれば、吹出し口から吹出す気流の流量を、例えば車両の走行速度に応じて調整することで、ホイール開口部流出気流の押し流し効果を適正な状態に調整することが可能となる。
【００１３】
請求項４に記載の発明は、請求項１〜３の何れか１項に記載の車両用気流制御構造において、前記気流方向規制部は、前記気流の流れの規制方向に伸長する気流ガイド壁を取付けて構成したことを特徴とする。
【００１４】
この構成によれば、簡単な構成によって吹出し口から吹出される気流を所望の方向に規制することが可能となる。即ち、簡単に吹出し口からの気流を制御することが可能となる。
【発明の効果】
【００１５】
以上説明したように、本発明によれば、気流方向規制部を備えた吹出し口から吹出される気流によって、車両用ホイールの開口部から外側へ流出する気流を制御することができ、ホイールハウス近傍の車体側部における走行気流の干渉を低減することができ、また、車両用ホイールを通過するホイール開口部流出気流を規制することがないので、車両用ホイールを通過する気流によるブレーキ冷却効果をも低下させることがない。
【図面の簡単な説明】
【００１６】
【図１】本発明の車両用気流制御構造が適用された車両の一実施形態を示す車両前部概略側面図である。
【図２】図１の車両の車両前部概略平面図である。
【図３】図１の吹出し口の詳細図である。
【図４】図１の車両の変形例を示す車両前部概略側面図である。
【図５】図１、図４の車両の気流作用の説明図である。
【図６】従来の車両の気流作用の説明図である。
【発明を実施するための形態】
【００１７】
以下の実施の形態では、本発明を具体化するための装置や方法を例示する。しかしながら、本発明の技術的思想は、構成部品の材質や形状、配置等を下記に特定するものでない。本発明の技術的思想は、特許請求の範囲に技術的範囲内で種々の変更を加えることができる。
【００１８】
以下に、本発明の車両用気流制御構造の一実施形態について図面を参照して詳細に説明する。図１は、この実施形態の車両用気流制御構造が適用された車両の一例を示す車両前部概略側面図、図２は、図１の車両の車両前部概略平面図である。これらの図は、代表して車両前左部を示しており、車両前右部も略同様の構成となっている。この車両の前左部では、フロントフード１、前左フェンダ２の下方に前左ホイールハウス３が形成され、このホイールハウス３内に前左輪４が収容されている。この前左輪４は、他の車輪と同様に、車体に対してタイヤを支持する車両用ホイール５と、その車両用ホイール５の外周部（リム）に取付けられたタイヤ６を備えている。このうち、車両用ホイール５には、例えば図１に示すような長円形の開口部７が形成されている。また、車両用ホイール５の内部にあって車両幅方向内側には、図示しないブレーキ装置が設けられている。
【００１９】
この前左ホイールハウス３の車両前方にあって車体下面には、前左輪４の一部を覆うようにフラップ８が下方向きに突設されている。このフラップ８は、例えば車輪、この場合は前左輪４に当たる気流（空気の流れ）を低減したり、或いは、その気流を整流したり、或いは、それらによって車両姿勢を安定したりする効果があるとされている。また、車体前端部、例えばフロントアンダースポイラ９の車両幅方向中央部には空気取入れ口１０が設けられており、この空気取入れ口１０に連続して、例えばエンジンに空気を供給するための車両前部ダクトが設けられている。
【００２０】
この実施形態では、前左ホイールハウス３のうち、車両前後方向における前左輪４の中央（以下、「前左輪４の車両前後方向中央」と記す）よりも車両前方で且つ車両上下方向における前左輪４の中央（以下、「前左輪４の車両上下方向中央」と記す）より車両上方の位置に、後述するホイール開口部流出気流Ｂを押し流すための押し流し気流Ａの吹出し口１２が設けられている。この吹出し口１２は、前左ホイールハウス３の車両幅方向外側端部に設けられている。また、この吹出し口１２は、前述した車両前部ダクトから分岐された走行気流取り込みダクト１１に接続されている。即ち、吹出し口１２は、走行気流の一部のホイールハウス３内への吹出しを許容する。
【００２１】
図３は、図１の吹出し口１２の詳細図である。この例では、前左ホイールハウス３の内張り、つまりホイールハウスライナ１３の図示左上部（即ち、前左輪４の車両前後方向中央よりも車両前方で且つ前左輪４の車両上下方向中央より車両上方の位置）に開口部１４を形成している。そして、このホイールハウスライナ１３の開口部１４に吹出しガイド部材１５を取付け、その吹出しガイド部材１５に走行気流取り込みダクト１１を接続する。吹出しガイド部材１５には、例えばスリット状の吹出し口１２が形成されると共に、その吹出し口１２の周囲に、押し流し気流Ａの吹出し方向を決める方形筒状の気流ガイド壁１６が設けられている。この気流ガイド壁１６は、例えば方形筒体の内側壁面が前左輪４の下部に向けて斜め後下方向きになるように立設されている。そのため、車両の走行に伴って車両前部から取入れられ、車両前部ダクトから走行気流取り込みダクト１１に取り込まれた走行気流の一部は吹出しガイド部材１５の気流ガイド壁１６に沿って流れ、これが吹出し口１２から吹出される押し流し気流Ａとなる。つまり、この実施形態では、この気流ガイド壁１６が、吹出し口１２から吹出された気流をタイヤ６の車両幅方向外側に沿って流れるように気流方向規制する気流方向規制部を構成している。なお、この吹出し口１２は、例えば車両上下方向に長いスリット形状とすることで、後述する押し流し気流Ａを車両用ホイール５やタイヤ６の車両幅方向外側端面部に沿ったエアカーテン状とすることができる。
【００２２】
この押し流し気流Ａは、気流方向規制部を構成する気流ガイド壁１６によって、車両用ホイール５やタイヤ６の車両幅方向外側端面部に沿うように吹出される。このようにするためには、吹出し口１２から吹出される押し流し気流Ａがタイヤ６の車両幅方向外側端面（サイドウォール）と接地面（トレッド）の角部（ショルダ）に僅かに当たるようにするとよい。この押し流し気流Ａの車輪側面に沿う流れ状態と、前述したエアカーテン状の流れ状態があいまって、後述するホイール開口部流出気流Ｂの押し流し効果が向上する。なお、この実施形態では、吹出しガイド部材１５の気流ガイド壁１６によって押し流し気流Ａの吹出し方向を決定しているが、これ以外にも、例えば走行気流取り込みダクト１１の気流方向端部を直接、吹出し口１２とし、その吹出し口位置におけるダクト端部の向きを押し流し気流の吹出し方向に設定することでも達成可能である。また、フラップ状の吹出しガイドを設けることなどによっても押し流し気流の吹出し方向を設定することができる。これらの場合、その構造そのものが、本発明の気流方向規制部を構成する。
【００２３】
そして、この実施形態では、気流方向規制部を構成する気流ガイド壁１６によって、フラップ８より車両下方領域に在る前左輪（車輪）４の部分に向けて押し流し気流Ａが吹出し口１２から吹出される。この実施形態では、フラップ８の下端部は前左輪（車輪）４のタイヤ６より車両前方の車体下端部に相当する。従って、押し流し気流Ａは、気流ガイド壁１６によって、タイヤ６より車両前方の車体下端部よりも車両下方に在るタイヤ６及び車両用ホイール５の部分に向かうように気流方向規制される。また、吹出し口１２は、前左ホイールハウス３のうち、前左輪４の車両前後方向中央よりも車両前方で且つ前左輪４の車両上下方向中央より車両上方に設けられている。従って、これらを総合すると、この実施形態における押し流し気流Ａは、前左輪（車輪）下部の車両幅方向外側端面に向けて斜め後下方向きに吹出される。
【００２４】
また、この実施形態では、走行気流取り込みダクト１１のうち、吹出し口１２の気流手前位置に、例えばバタフライバルブ形状の流量調整機構１７を設けている。この流量調整機構１７をアクチュエータ１８によって作動することで、吹出し口１２の気流手前側における走行気流取り込みダクト１１の開度を調整することにより、吹出し口１２から吹出される押し流し気流Ａの流量を調整できるようにしている。この流量調整機構１７のアクチュエータ１８は、コントロールユニット１９によって作動状態が制御される。コントロールユニット１９は、例えば周知のマイクロコンピュータなどのコンピュータシステムを備えて構成される。コンピュータシステムは、周知のように、プログラムに沿って演算処理を行う中央演算処理部やプログラムや演算処理結果を記憶する記憶部、各種センサからの入力信号を入力したり演算処理の結果を出力したりする入出力部などを備えて構成される。この実施形態では、例えば走行速度センサ２０で検出された車両の走行速度に応じてアクチュエータ１８の作動状態を制御し、走行気流取り込みダクト１１の開度を調整することで吹出し口１２から吹出される押し流し気流Ａの流量が調整される構成としている。なお、この流量調整の制御入力としては、例えば前輪の転舵角などを用いることも可能である。
【００２５】
図４は、図１の吹出し口１２の変形例を示す車両前部概略側面図である。この図では、吹出し口１２からの気流の流量を調整する流量調整機構や、そのアクチュエータの図示を省略している。図１の車両用気流制御構造では、吹出し口１２を車輪１つ当たり１つだけ設けているが、図４に示すように、吹出し口１２を車輪１つ当たり２つ設けてもよい。具体的には、一方の吹出し口１２は、図１の吹出し口１２よりも車両上方において前左ホイールハウス３に形成され、他方の吹出し口１２は、図１の吹出し口１２よりも車両下方において前左ホイールハウス３に形成されている。そして、それぞれの吹出し口１２に走行気流取り込みダクト１１が分岐接続されている。何れの場合も、吹出し口１２は、ホイールハウス３の壁部の少なくともタイヤ６の前後方向中央よりも車両前方寄り位置に設けられる。
【００２６】
このような場合、２つの吹出し口１２のそれぞれから吹出される気流Ａ’の合成気流が、タイヤ６より車両前方の車体下端部より下方に在るタイヤ６及び車両用ホイール５の車両幅方向外側端面部に向けて吹出されるように各吹出し口１２の気流方向規制部を構成・配置すればよい。即ち、この場合は、２つの吹出し口１２から吹出される気流Ａ’の合成気流が押し流し気流Ａとなる。なお、この場合も、合成気流からなる押し流し気流Ａは、車両用ホイール５やタイヤ６の車両幅方向外側端面部に沿うように吹出す。また、吹出し口１２は３つ以上、つまり複数個以上であってもよい。その場合も、複数の吹出し口１２から吹出される気流の合成気流が押し流し気流を形成するように設定すればよい。従って、各吹出し口１２の気流方向規制部は、それぞれ、それら複数の吹出し口１２からの気流の合成によって気流規制を行う構成とする。そして、これらの構成とすれば、押し流し気流の流量をより豊富に確保することができる。また、複数の吹出し口１２を所望に組合せることができるので、吹出し口１２のレイアウトの自由度が高まる。
【００２７】
図５は、図１、図４の車両の気流作用の説明図である。前述したように、車両の走行に伴い、車両用ホイール５の開口部７からは気流Ｂが流出する。このホイール開口部流出気流Ｂは、車両の走行速度が大きいほど、走行気流の増大に伴って強く（多く且つ速く）流出する。また、例えば車両用ホイール５の車両幅方向外側部分における負圧の増大に伴って強く（多く且つ速く）流出する場合もある。また、このホイール開口部流出気流Ｂは、フラップ８より下方、つまりタイヤ６より車両前方における車体下端部より下方部位において、より強く（多く且つ速く）吹出される。この実施形態では、吹出し口１２から、車輪下部の車両幅方向外側端面に向けて斜め後下方向きに押し流し気流Ａが吹出される。この押し流し気流Ａにより、ホイール開口部流出気流Ｂは車両用ホイール５の開口部７から流出すると直ちに斜め後下方向きに押し流される。従って、車体側部（車両幅方向端部）に沿って流れる走行気流Ｃとホイール開口部流出気流Ｂの干渉が低減される。また、ホイール開口部流出気流Ｂ自体、つまり車両用ホイール５の車両幅方向内側から車両用ホイール５を通過する気流自体が低減されるわけではないので、ブレーキ装置の冷却効果は確保される。
【００２８】
図６は、従来の車両の気流作用の説明図である。この従来の車両では、ホイールハウス３の前上方から斜め後下方向きへの押し流し気流は吹出されない。そのため、ホイール開口部流出気流Ｂは、そのまま、車両幅方向外側に向けて流出する。このホイール開口部流出気流Ｂは、タイヤ６より車両前方の車両下端部より下方から強く吹出し、そのホイール開口部流出気流Ｂが車体側部を流れる走行気流Ｃと干渉して乱流を発生する。この乱流成分が走行抵抗の増大につながる。ちなみに、一般に、車体側面は車両前端部よりも車両後方において車両幅方向外側に広がっているため、車体側部を流れる走行気流Ｃは負圧になる傾向がある。
【００２９】
このホイール開口部流出気流Ｂは、前述のように、車両の走行速度が大きくなるほど強くなる傾向がある。そこで、前述の押し流し気流Ａの流量制御態様としては、コントロールユニット１９により、走行速度センサ２０で検出された車両の走行速度が大きいときに流量調整機構１７による走行気流取り込みダクト１１の開度を大きくして押し流し気流Ａの流量を増大し、これによりホイール開口部流出気流Ｂと車体側部走行気流Ｃの干渉を積極的に低減することが考えられる。但し、この実施形態では、車両の走行速度が大きくなると、走行気流の一部を利用した押し流し気流Ａの流量も大きくなるので、車体側部走行気流Ｃとの干渉を低減するために必要な分だけ、車両の走行速度に応じた押し流し気流Ａによるホイール開口部流出気流Ｂの押し流し効果が得られれば、押し流し気流Ａの流量調整を必ずしも行う必要はない。
【００３０】
このように、この実施形態の車両用気流制御構造では、タイヤ６が取付けられた車両用ホイール５をホイールハウス３に収容し、このホイールハウス３の壁部のうち、タイヤ６の前後方向中央よりも車両前方寄り位置には、タイヤ６の車両幅方向外側端面部に沿って気流を吹出す吹出し口１２を設ける。そして、吹出し口１２からは、タイヤ６より車両前方の車体下端部より下方に在るタイヤ６及び車両用ホイール５の部分に向かう押し流し気流Ａを吹出す。これにより、車両用ホイール５の開口部７から流出するホイール開口部流出気流Ｂのうち、タイヤ６より車両前方の車体下端部より下方の部分から流出する強い気流に対し、吹出し口１２から吹出される押し流し気流Ａがホイール開口部流出気流Ｂを下方及び後方の少なくとも何れか一方に押し流す。そのため、簡易な構成にしてホイール開口部流出気流Ｂと車体側部を流れる走行気流Ｃの干渉を低減することが可能となる。また、車両用ホイール５を通過するホイール開口部流出気流Ｂ自体を規制することがないので、ブレーキ冷却効果を確保することができる。
【００３１】
また、吹出し口１２から吹出される押し流し気流Ａが車両用ホイール５及びタイヤ６の車両幅方向外側端面部に沿うように規制する。これにより、ホイール開口部流出気流Ｂが車両幅方向外側に流出するのを効果的に低減することができることから、ホイール開口部流出気流Ｂと車体側部を流れる走行気流Ｃの干渉をより一層低減することが可能となる。
【００３２】
また、吹出し口１２を複数設ける場合には、それら複数の吹出し口１２からの気流Ａ’の合成気流をタイヤ６より車両前方の車体下端部より下方におけるタイヤ６及び車両用ホイール５の車両幅方向外側端面部に向かう押し流し気流Ａとする。これにより、ホイール開口部流出気流Ｂの押し流しに必要な吹出し口１２からの押し流し気流Ａの流量を確保することができると共に、吹出し口１２のレイアウトの自由度が高まる。
【００３３】
また、吹出し口１２からの気流の流量を調整する流量調整機構１７により、吹出し口１２から吹出す気流の流量を、例えば車両の走行速度に応じて調整することで、ホイール開口部流出気流Ｂの押し流し効果を適正な状態に調整することが可能となる。
【００３４】
また、押し流し気流Ａの吹出し方向を規制する気流方向規制部として気流ガイド壁１６を設けたことにより、簡潔な構成により、吹出し口１２から吹出される押し流し気流Ａの方向を規制することが可能となる。
【００３５】
本発明が上記していない様々な実施の形態等を含むことは勿論である。従って、本発明の技術的範囲は上記の説明から妥当とされる特許請求の範囲に記載された発明特定事項によってのみ定められるものである。
【符号の説明】
【００３６】
３  ホイールハウス
５  車両用ホイール
６  タイヤ
７  開口部
１２  吹出し口
１６  気流ガイド壁（気流方向規制部）
１７  流量調整機構
Ａ  押し流し気流（気流）
【図１】
2017178163.tif 000003
【図２】
2017178163.tif 000004
【図３】
2017178163.tif 000005
【図４】
2017178163.tif 000006
【図５】
2017178163.tif 000007
【図６】
2017178163.tif 000008